(57)【要約】      （修正有）【課題】衣服の腰上部覆い部の採寸を、容易にかつ正確に行える採寸具を提供する。【解決手段】採寸具１１は、被採寸者の下半身に長ズボンが着用されるのと同様に装着されることで該被採寸者の腰上部の寸法を採寸するためのものであり、該被採寸者の腰部を収容する腰収容部４１と、該被採寸者の右脚を収容する右脚収容部２１と、該被採寸者の左脚を収容する左脚収容部３１と、を備えてなる。腰収容部４１の前覆い部５１と後覆い部６１との間のうち上部（ヒップラインよりも上）が縫い合わされずに分断部７１、７３が形成されていること等を除き、本採寸具１１は、長ズボンと同様の構造を有している。【選択図】図１
0003172178.tif 000002
【実用新案登録請求の範囲】
【請求項１】
着用者のヒップラインの位置である下位置と、ヒップラインとウエストとの間のいずれかの位置である上位置と、の間の腰の部分である腰上部を取り囲むように覆う腰上部覆い部を含んでなる衣服の製造に際し、腰上部覆い部により取り囲まれる腰上部のヒップラインよりも上方に存する少なくともいずれかの位置である腰対象位置の周囲寸法を採寸することで腰対象位置に対応する腰上部覆い部の周囲寸法を決定するため、腰上部に外嵌されるように装着される採寸具であって、
着用者のヒップライン位置に沿って外嵌される所定の内周寸法を有する筒形状のヒップライン外嵌部と、
ヒップラインよりも上方の腰上部に外嵌されるようヒップライン外嵌部の上部に連なるように設けられ、上縁から下方に向かって周を分断する分断部を有する上方外嵌部と、を備えてなり、
上方外嵌部が外嵌される腰上部の周囲長さに応じ、上方外嵌部の内周寸法が変化するよう、異なる幅にて互いに重合可能な内側重合部及び外側重合部を分断部が有すると共に、
上方外嵌部が、該幅を直接的又は間接的に示す目視可能な標識を有してなるものである、採寸具。
【請求項２】
分断部が上方外嵌部の左右に一対形成されるものである、請求項１に記載の採寸具。
【請求項３】
内側重合部の外面及び外側重合部の内面に互いに係脱自在な面ファスナーが配設されるものである、請求項１又は２に記載の採寸具。
【請求項４】
前記標識が、内側重合部の外面に周囲寸法方向に複数形成される目盛を含んでなるものである、請求項１乃至３のいずれか１に記載の採寸具。
【請求項５】
複数の目盛が、色彩を異ならせて形成されるものである、請求項４に記載の採寸具。
【請求項６】
複数の目盛が、内側重合部に縫いつけられた糸又は紐により形成されるものである、請求項４又は５に記載の採寸具。
【請求項７】
外側重合部が、腰上部の異なる周囲寸法に応じ異なる目盛に近接する上下方向に沿った外縁を有するものである、請求項４乃至６のいずれか１に記載の採寸具。
【請求項８】
着用者のヒップラインの位置である下位置と、ヒップラインとウエストとの間のいずれかの位置である上位置と、の間の腰の部分である腰上部を取り囲むように覆う腰上部覆い部を含んでなる衣服の半製品であって、
着用者のヒップライン位置に沿って外嵌される所定の内周寸法を有する筒形状の衣服ヒップライン外嵌部と、
ヒップラインよりも上方の腰上部に外嵌されるよう衣服ヒップライン外嵌部の上部に連なるように設けられ、上縁から下方に向かって周を分断する衣服分断部を有する衣服上方外嵌部と、を備えてなり、
衣服上方外嵌部が外嵌される腰上部の周囲長さに応じ衣服上方外嵌部の内周寸法が変化するよう、互いに固定可能な内側重合部及び外側重合部を衣服分断部が有するものである、衣服の半製品。
【請求項９】
衣服分断部が衣服上方外嵌部の左右に一対形成されるものである、請求項８に記載の衣服の半製品。
【考案の詳細な説明】
【技術分野】
【０００１】
本考案は、採寸具に関し、より詳細には、衣服の着用者のヒップラインの位置である下位置と、ヒップラインとウエストとの間のいずれかの位置である上位置と、の間の腰の部分である腰上部を取り囲むように覆う腰上部覆い部を含んでなる衣服の製造に際し、腰上部覆い部の周囲寸法を決定するため、腰上部に外嵌されるように装着される採寸具に関する。
【背景技術】
【０００２】
着用者のヒップライン（着用者の腰回りが最も大きな部分）の位置である下位置（ヒップライン位置）と、ヒップラインとウエスト（着用者の胸部とヒップの間の最もくびれた部分）との間のいずれかの位置である上位置と、の間の腰の部分である腰上部を取り囲むように覆う腰上部覆い部を含んでなる衣服は、例えば、ズボン、スカート及びキュロット等のような下半身用の衣服等が一例として挙げられる。例えば、（長）ズボンは、着用者の腰部を収容する腰収容部（腰上部覆い部を含む）と、着用者の右脚を収容する右脚収容部と、着用者の左脚を収容する左脚収容部と、を備えてなり、通常、着用者のウエストの寸法（例えば、ウエスト周り８２ｃｍ等）に対応する腰収容部を有するズボンを選択し着用していた。
しかしながら、同じウエスト寸法の着用者が、常に同じヒップラインの寸法を有する場合ばかりではないため、着用者によっては、自分自身のウエスト寸法に合致する下半身用衣服を選択しても、腰が大きすぎて腰上部覆い部にうまく収容できなかったり、逆に、腰に対して腰上部覆い部が大きすぎて腰上部覆い部の見栄えや着心地が悪くなるという問題点があった。
このようなウエスト寸法とヒップライン寸法との衣服における不整合を防止又は減少させるため、ウエスト寸法とヒップライン寸法とを独立して調整できるようオーダーメイドの衣料とされることもあった（例えば、特許文献１参照）。
【０００３】
特許文献１には、専門家の手によって着用者のウエストやヒップの寸法を測り、その測定結果に従って型紙を作成した後、該型紙に合わせて生地を裁断して縫製することでオーダーメイド衣料を作成することが記載されており（特許文献１、考案の詳細な説明中、段落番号０００１〜０００２等）、その着用者のウエストやヒップの寸法測定が「一般の素人は何を使って、身体のどの部分をどのようにして測るかが不明であり、また測り方によっては寸法誤差が生じ易いといった難しさ、煩雑さがある。この考案はこれらの点に鑑みて為されたものであり、専門家の人ではない、一般の素人でも、極めて容易に、かつ正確に、ウエスト、中ヒップ及びヒップの寸法が測れるメジャーを提供する」（特許文献１、考案の詳細な説明中、段落番号０００３〜０００４）ためになされた考案が特許文献１には開示されている。
具体的には、特許文献１には、「一定長の縦型ベーステープの上部に、一端部を固定したウエスト用メジャーテープを設け、このウエスト用メジャーテープの下方に、一端部を夫々上記縦型ベーステープの中程に固定した複数本の中ヒップ用メジャーテープを間隔を開けて設け、これらの中ヒップ用メジャーテープの下方に、一端部を夫々上記縦型ベーステープの下部に固定した複数本のヒップ用メジャーテープを間隔を開けて設け、上記ウエスト用メジャーテープ、中ヒップ用メジャーテープ、ヒップ用メジャーテープの各他端部裏面に適宜長の係止部を設け、これらの各メジャーテープの一端部又はこれと相応する縦型ベーステープ箇所の表面に被係止部を設けたことを特徴とする、洋裁用メジャー」（特許文献１、請求項１）が開示されている。
かかる特許文献１開示の洋裁用メジャーによれば「この洋裁用メジャーを用いて、ウエスト、中ヒップ及びヒップを測るには、まず縦型ベーステープの上端を被測定者のウエスト箇所に当てて、下端を下方へたらし、ウエスト用メジャーテープを被測定者のウエストに巻き回して先端の係止部を縦型ベーステープ箇所の被係止部に係止し、これによりウエスト寸法を読み取る。この状態で次ぎに複数本のヒップ用メジャーテープのうちから、当該被測定者のヒップの一番太い部分に該当するヒップ用メジャーテープを選んで、これを被測定者のヒップに巻き回して、先端の係止部を縦型ベーステープ箇所の被係止部に止め、ヒップ寸法を読み取る。さらにこの状態で複数本の中ヒップ用メジャーテープの中から適宜のものを選んで、これを被測定者の上記ウエストとヒップとの間の腰に巻き回し、その先端の係止部を縦型ベーステープ箇所の被係止部に止め、中ヒップ寸法を読み取る。この複数本の中ヒップ用メジャーテープの内から適宜のものを選ぶのは、被測定者のウエストとヒップの寸法が既に分かり、かつこれらの間の長さが分かり、さらに各中ヒップ用メジャーテープとウエストやヒップとの間の長さが分かるため、あとは被測定者、即ち着用者の好みに合わせて腰のラインを決め、これにより複数本の中から選んだ一本の中ヒップ用メジャーテープで測ったものを中ヒップの寸法とする。」（特許文献１、考案の詳細な説明中、段落番号０００９〜００１０）ことができ、それによって「被測定者のウエスト部分を決めれば、複数のヒップ用メジャーテープの中から被測定者に適する一つを選んで測るため被測定者の固有のヒップ寸法が正確に採寸できるとともにウエストとヒップとの間の長さも分かる。またこれらの間の中ヒップの寸法は、製作しようとするスカートのスタイルに合わせて複数の中ヒップ用メジャーテープの中から一つを選んで測定することができる。しかもこれらの採寸の際、縦型ベーステープをウエスト部分からたしてウエスト用メジャーテープで押えておけば、これが基準と成って、ずれたりせず、ウエスト、ヒップ、中ヒップを正確に測定することができる。また中ヒップ用メジャーテープ及びヒップ用メジャーテープを夫々複数本設けているため、身長の低い人や高い人等、どんな体型の人でも対象とすることができる。従って従来スカート又はスカート部分のウエスト、ヒップ、中ヒップの採寸は複雑で、素人には仲々正確に測ることができなかったが、この考案のメジャーを用いれば、上記箇所の採寸を素人でも極めて簡単、迅速かつ正確に測定することができる」（特許文献１、考案の詳細な説明中、段落番号００１９〜００２１）というものである。
【先行技術文献】
【特許文献】
【０００４】
【特許文献１】実開平６−７００２号公報（例えば、要約、請求項１、考案の詳細な説明中の段落番号０００１〜０００４、０００９〜００１０、００１９〜００２１、第１図〜第３図等）
【考案の概要】
【考案が解決しようとする課題】
【０００５】
このような特許文献１に開示されたような洋裁用メジャー（採寸具）によれば、縦型ベーステープの上端を被測定者のウエスト箇所に当て、ウエスト用メジャーテープを被測定者のウエストに巻き回して先端の係止部を縦型ベーステープ箇所の被係止部に係止しウエスト寸法を読み取り、ヒップ用メジャーテープを選んで被測定者のヒップに巻き回して先端の係止部を縦型ベーステープ箇所の被係止部に止めヒップ寸法を読み取り、そして複数本の中ヒップ用メジャーテープの中から適宜のものを選んで被測定者のウエストとヒップとの間の腰に巻き回して先端の係止部を縦型ベーステープ箇所の被係止部に止め中ヒップ寸法を読み取ることによって、採寸することができる。
このような特許文献１の洋裁用メジャー（採寸具）を用いた採寸作業は、たくさんのメジャーテープそれぞれについてメジャーテープを被測定者の体に巻き回して先端の係止部を縦型ベーステープ箇所の被係止部に止めて寸法を読み取ることを要するため手間がかかり時間を要するという問題があった。そして、特許文献１の洋裁用メジャー（採寸具）を用いた採寸作業においては、洋裁用メジャー（採寸具）の被測定者の体への正確な固定がなされなければ、正確な測定値が得られないため、やはり測定者によって測定値にばらつきが生じる問題があった。
【０００６】
そこで、本考案では、衣服の腰上部覆い部により取り囲まれる腰上部のヒップラインよりも上方に存する少なくともいずれかの位置である腰対象位置を採寸することが、測定者を問わず容易かつ短時間で正確に行うことができる採寸具を提供することを目的とする。
【課題を解決するための手段】
【０００７】
本考案の採寸具（以下、「本採寸具」という。）は、着用者のヒップラインの位置である下位置と、ヒップラインとウエストとの間のいずれかの位置である上位置と、の間の腰の部分である腰上部を取り囲むように覆う腰上部覆い部を含んでなる衣服の製造に際し、腰上部覆い部により取り囲まれる腰上部のヒップラインよりも上方に存する少なくともいずれかの位置である腰対象位置の周囲寸法を採寸することで腰対象位置に対応する腰上部覆い部の周囲寸法を決定するため、腰上部に外嵌されるように装着される採寸具であって、着用者のヒップライン位置に沿って外嵌される所定の内周寸法を有する筒形状のヒップライン外嵌部と、ヒップラインよりも上方の腰上部に外嵌されるようヒップライン外嵌部の上部に連なるように設けられ、上縁から下方に向かって周を分断する分断部を有する上方外嵌部と、を備えてなり、上方外嵌部が外嵌される腰上部の周囲長さに応じ、上方外嵌部の内周寸法が変化するよう、異なる幅にて互いに重合可能な内側重合部及び外側重合部を分断部が有すると共に、上方外嵌部が、該幅を直接的又は間接的に示す目視可能な標識を有してなるものである、採寸具である。
【０００８】
本採寸具は、衣服の製造に際し、着用者の寸法を採寸するための採寸具である。該衣服は腰上部覆い部を含み、腰上部覆い部は、着用者の腰のうち下位置と上位置との間の腰の部分である腰上部を取り囲むように覆う。着用者の腰のうち下位置とは、着用者のヒップライン（着用者の腰回りが最も大きな部分）の位置であり、そして着用者の腰のうち上位置とは、ヒップラインとウエスト（着用者の胸部とヒップの間の最もくびれた部分）との間のいずれかの位置である。かかる下位置と上位置との間の腰の部分である腰上部を取り囲むように覆う腰上部覆い部を含んでなる衣服の製造に際し、本採寸具は、腰対象位置（腰上部覆い部により取り囲まれる腰上部のうち、ヒップラインよりも上方に存する少なくともいずれかの位置）の周囲寸法を採寸することで腰対象位置に対応する腰上部覆い部の周囲寸法を決定するため、着用者の腰上部に外嵌されるように装着される。
本採寸具は、所定の内周寸法を有する筒形状のヒップライン外嵌部と、ヒップライン外嵌部の上部に連なるように設けられる上方外嵌部と、を備えてなる。着用者の腰上部が、ヒップライン位置は筒形状のヒップライン外嵌部に内嵌され（ヒップライン外嵌部は、着用者のヒップライン位置に沿って外嵌される。）、ヒップラインよりも上方の腰上部が上方外嵌部に取り囲まれる。このときヒップライン外嵌部は所定の内周寸法を有する筒形状を有するので、着用者のヒップライン位置の大きさ（ヒップ寸法）に適合するヒップライン外嵌部を有する本採寸具を用いる。そして、ヒップライン外嵌部の上部に連なるように設けられた上方外嵌部には、ヒップラインよりも上方の腰上部が内嵌される。上方外嵌部は、上縁から下方に向かって周を分断する分断部（少なくとも腰対象位置に存する）を有しており、分断部は、互いに重合可能な内側重合部及び外側重合部を有している（内側重合部及び外側重合部の間が分断されている）。腰対象位置の周囲寸法（上方外嵌部が外嵌される腰上部の周囲長さ）に応じて、腰対象位置に対応する上方外嵌部の内周寸法が変化するよう、内側重合部及び外側重合部が異なる幅にて互いに重合可能である。更に、上方外嵌部が、内側重合部及び外側重合部が重合する該幅を直接的又は間接的に示す目視可能な標識を有しているので、該標識を目視することで（腰対象位置の周囲寸法（上方外嵌部が外嵌される腰上部の周囲長さ）に対応した）内側重合部及び外側重合部が重合した該幅を認知することができる。
なお、本考案にいう「上」及び「下」は、本採寸具が装着された着用者又は後述の本半製品によって製造される衣服の着用者が水平面に直立した状態における上及び下をいう。また、「内」及び「外」は、これら着用者の体（腰）に近い側と遠い側とをそれぞれいう。
このように本採寸具によれば、腰対象位置の周囲寸法に応じ、内側重合部及び外側重合部が異なる幅にて互いに重合し、上方外嵌部が有する目視可能な標識により該幅を認知することができるので、衣服の腰上部覆い部により取り囲まれる腰上部のヒップラインよりも上方に存する少なくともいずれかの位置である腰対象位置を、測定者を問わず容易かつ短時間で正確に採寸することができる。
【０００９】
本採寸具においては、分断部が上方外嵌部の左右に一対形成されるものであってもよい。
こうすることで、腰対象位置の周囲寸法（上方外嵌部が外嵌される腰上部の周囲長さ）に応じて、左右に一対形成された分断部により、腰対象位置に対応する上方外嵌部の内周寸法を変化させることができるので、左右バランス良く内周寸法を変化させ、腰対象位置（上方外嵌部が外嵌される腰上部）の採寸を円滑に認知することができる。
なお、本考案にいう「右」及び「左」は、本採寸具が装着された着用者にとっての右（該着用者の右手が存する側）及び左（該着用者の左手が存する側）をいう。
【００１０】
本採寸具においては、内側重合部の外面及び外側重合部の内面に互いに係脱自在な面ファスナーが配設されるものであってもよい。
分断部の内側重合部及び外側重合部は、上方外嵌部が外嵌される腰上部の周囲長さに応じて上方外嵌部の内周寸法が変化するよう、異なる幅にて互いに重合可能にされることで、目視可能な標識により該幅を知ることができる。この内側重合部及び外側重合部の重合状態は、採寸者が指によって押さえたり、両重合部をピンで止める等して採寸中保持するようにしてもよいが、互いに係脱自在な面ファスナー（一方の面ファスナーが雄型、他方の面ファスナーが雌型）を内側重合部の外面及び外側重合部の内面に配設するようにしてもよく、そうすれば上方外嵌部が外嵌される腰上部の周囲長さに応じた両重合部の重合状態を採寸中容易に保持することができ、円滑に採寸することができる。
【００１１】
本採寸具においては、前記標識が、内側重合部の外面に周囲寸法方向に複数形成される目盛を含んでなるもの（以下、「目盛保有本採寸具」という。）であってもよい。
このような内側重合部の外面（外側重合部に面する面）に周囲寸法方向に複数形成される目盛を前記標識が含むことで、内側重合部及び外側重合部が互いに重合した際、腰上部の異なる周囲寸法に応じて、外側重合部のいずれかの部分（例えば、外側重合部の外縁）がどの目盛に近接するかによって（腰上部の異なる周囲寸法が変化することにより、外側重合部のいずれかの部分が近接する目盛が異なる）、いずれの目盛に近接するかを目視することで内側重合部及び外側重合部が重合した前記幅を認知することができ、それによって腰対象位置（上方外嵌部が外嵌される腰上部）の採寸を円滑に行うことができる。
【００１２】
目盛保有本採寸具の場合、複数の目盛が、色彩を異ならせて形成されるものであってもよい。
こうすることで、外側重合部のいずれかの部分がいずれの色の目盛に近接するかを目視することで、目盛の色（例えば、４個の目盛りを赤、黄、緑、白のように別個の色で形成する）によって前記幅を認知、伝達及び記憶することができる（例えば、「赤色」等のように認知、伝達及び記憶できるので、間違いを防止又は減少させることができる。）。
【００１３】
目盛保有本採寸具の場合、複数の目盛が、内側重合部に縫いつけられた糸又は紐により形成されるものであってもよい。
内側重合部に縫いつけられた糸又は紐により複数の目盛を形成することで、内側重合部の外面に周囲寸法方向に複数形成される目盛を容易かつ確実に形成することができ、さらに縫いつけられた糸又は紐によって内側重合部を補強することができる。
【００１４】
目盛保有本採寸具の場合、外側重合部が、腰上部の異なる周囲寸法に応じ異なる目盛に近接する上下方向に沿った外縁を有するものであってもよい。
内側重合部及び外側重合部が互いに重合した際、腰上部の異なる周囲寸法に応じて、目盛りに近接する外側重合部の部分はいずれの部分であってもよいが、外側重合部の上下方向に沿った外縁とされてもよい。こうすることで周囲寸法方向に複数形成される目盛に、腰上部の異なる周囲寸法に応じ（異なる目盛りに）うまく近接することができ、該外縁がいずれの目盛に近接するかを容易かつ確実に目視することができる。
【００１５】
本考案は、本採寸具により採寸された結果に基づき、衣服を製造するための半製品（以下、「本半製品」という。）も提供する。
即ち、本半製品は、着用者のヒップラインの位置である下位置と、ヒップラインとウエストとの間のいずれかの位置である上位置と、の間の腰の部分である腰上部を取り囲むように覆う腰上部覆い部を含んでなる衣服の半製品であって、着用者のヒップライン位置に沿って外嵌される所定の内周寸法を有する筒形状の衣服ヒップライン外嵌部と、ヒップラインよりも上方の腰上部に外嵌されるよう衣服ヒップライン外嵌部の上部に連なるように設けられ、上縁から下方に向かって周を分断する衣服分断部を有する衣服上方外嵌部と、を備えてなり、衣服上方外嵌部が外嵌される腰上部の周囲長さに応じ衣服上方外嵌部の内周寸法が変化するよう、互いに固定可能な内側重合部及び外側重合部を衣服分断部が有するものである、衣服の半製品である。
本半製品は、衣服の着用者のヒップラインの位置である下位置と、ヒップラインとウエストとの間のいずれかの位置である上位置と、の間の腰の部分である腰上部を取り囲むように覆う腰上部覆い部を含んでなる衣服を製造するための半製品である。腰上部覆い部は、上述の本採寸具において説明したのと同様である。
本半製品は、所定の内周寸法を有する筒形状の衣服ヒップライン外嵌部と、衣服ヒップライン外嵌部の上部に連なるように設けられる衣服上方外嵌部と、を備えてなる。着用者の腰上部が、ヒップライン位置は筒形状の衣服ヒップライン外嵌部に内嵌され（衣服ヒップライン外嵌部は、着用者のヒップライン位置に沿って外嵌される。）、ヒップラインよりも上方の腰上部が衣服上方外嵌部に取り囲まれる。このとき衣服ヒップライン外嵌部は所定の内周寸法を有する筒形状を有するので、着用者のヒップライン位置の大きさ（ヒップ寸法）に適合する衣服ヒップライン外嵌部を有する本半製品を用いる。そして、衣服ヒップライン外嵌部の上部に連なるように設けられた衣服上方外嵌部には、ヒップラインよりも上方の腰上部が内嵌される。衣服上方外嵌部は、上縁から下方に向かって周を分断する衣服分断部を有しており、衣服分断部は、互いに固定可能な内側重合部及び外側重合部を有している（内側重合部及び外側重合部の間が分断されている。通常、内側重合部及び外側重合部は異なる幅にて互いに重合可能である。）。本半製品によれば、衣服上方外嵌部が外嵌される腰上部の周囲長さに応じて、衣服上方外嵌部の内周寸法が変化するよう内側重合部及び外側重合部が互いに固定できるので、衣服上方外嵌部が外嵌される衣服着用者の腰上部の周囲長さに応じ、内側重合部及び外側重合部を互いに固定することで、着用者のヒップライン位置の大きさ（ヒップ寸法）と、衣服上方外嵌部が外嵌される衣服着用者の腰上部の周囲長さと、の両方に適合する衣服を製造することができる。
【００１６】
本半製品においては、衣服分断部が衣服上方外嵌部の左右に一対形成されるものであってもよい。
こうすることで、衣服上方外嵌部が外嵌される衣服着用者の腰上部の周囲長さに応じて、左右に一対形成された衣服分断部により衣服上方外嵌部の内周寸法を変化させることができるので、左右バランス良く内周寸法を変化させ、着心地や見栄えがよい衣服を製造することができる。
なお、本考案にいう「右」及び「左」は、本半製品により製造される衣服の着用者にとっての右（該着用者の右手が存する側）及び左（該着用者の左手が存する側）をいう。
【００１７】
以上の通り、本採寸具においては、被採寸者（最終的には衣服の着用者となる）のヒップライン位置の大きさ（ヒップ寸法）に応じ複数の所定の内周寸法を有するヒップライン外嵌部を有する本採寸具を準備しておく（例えば、ヒップ寸法８０ｃｍ、８２ｃｍ、８４ｃｍ・・・・・・９０ｃｍ、９２ｃｍ等それぞれに適応するヒップライン外嵌部を有する本採寸具を複数準備しておく。）。
そして、本採寸具による採寸は、被採寸者（最終的には衣服の着用者となる）のヒップライン位置の大きさ（ヒップ寸法）に適合するヒップライン外嵌部を有する本採寸具を選択する（ステップＡ１）。
さらに、選択した本採寸具を被採寸者（最終的には衣服の着用者となる）が装着する（ステップＡ２）。
次いで、被採寸者（最終的には衣服の着用者となる）の腰対象位置の周囲寸法（上方外嵌部が外嵌される腰上部の周囲長さ）に応じ、内側重合部及び外側重合部を適した幅にて互いに重合させる（ステップＡ３）。
その後、上方外嵌部が有する標識（該幅を直接的又は間接的に示す目視可能な標識）を目視し、内側重合部及び外側重合部が重合した該幅を認知する（ステップＡ４）。
このようにして得られた本採寸具による採寸結果（内側重合部及び外側重合部が重合した該幅）に基づき、本半製品を用いて衣服を製造することができる。
衣服の着用者のヒップライン位置の大きさ（ヒップ寸法）に応じ複数の所定の内周寸法を有する衣服ヒップライン外嵌部を有する本半製品を準備しておく（例えば、ヒップ寸法８０ｃｍ、８２ｃｍ、８４ｃｍ・・・・・・９０ｃｍ、９２ｃｍ等それぞれに適応する衣服ヒップライン外嵌部を有する本半製品を複数準備しておく。）。
そして、本半製品による衣服製造は、衣服の着用者のヒップライン位置の大きさ（ヒップ寸法）に適合する衣服ヒップライン外嵌部を有する本半製品を選択する（ステップＢ１）。
その後、本採寸具による採寸結果（内側重合部及び外側重合部が重合した該幅）に基づき、本半製品の内側重合部及び外側重合部を互いに固定（例えば、縫いつける）する（ステップＢ２）。このように本採寸具のヒップライン外嵌部及び上方外嵌部（内側重合部及び外側重合部を含む）と、本半製品の衣服ヒップライン外嵌部及び衣服上方外嵌部（内側重合部及び外側重合部を含む）と、を形状や寸法において同じものとすることで、本採寸具による採寸結果に基づき本半製品を用いて衣服を製造することができ、かかる衣服は、着用者のヒップライン位置の大きさ（ヒップ寸法）と、衣服着用者の腰上部の周囲長さと、の両方に合致するものとすることができる。
【図面の簡単な説明】
【００１８】
【図１】一実施形態の本考案の採寸具（本採寸具）を示す斜視図である。
【図２】本採寸具の平面図である。
【図３】本採寸具の一部拡大側面図である。
【図４】被採寸者が本採寸具を装着（着用）したところを示す一部拡大側面図である。
【図５】一実施形態の本考案の半製品（本半製品）の斜視図である。
【図６】本半製品を用いて製造された製品ズボン（衣服）の斜視図である。
【考案を実施するための形態】
【００１９】
本考案の実施の形態を図面を参照して詳述するが、本考案はこれに限定されるものではない。
【００２０】
図１は、一実施形態の本考案の採寸具（本採寸具）１１を示す斜視図であり、図２は本採寸具１１の平面図（図１中、矢印Ａ方向から見たところを示している）であり、そして図３は本採寸具１１の一部拡大側面図（図１及び図２中、矢印Ｂ方向から見たところを示している。なお、理解を容易にするため、後述の分断部７３を形成する前覆い部５１及び後覆い部６１の間を拡げた状態を示している。）である。図１乃至図３を参照して、本採寸具１１について説明する。なお、上方向を矢印Ｃ１にて、下方向を矢印Ｃ２にて、前方向を矢印Ｃ３にて、後方向を矢印Ｃ４にて、右方向を矢印Ｃ５にて、そして左方向を矢印Ｃ６にて、それぞれ示した（本採寸具１１を装着する被採寸者が直立した状態で認識する上、下、前、後、右、左に同じ）。
本採寸具１１は、図示しない被採寸者の下半身に長ズボンが着用されるのと同様に装着されることで該被採寸者の腰上部の寸法を採寸するためのものであり、大まかには、該被採寸者の腰部を収容する腰収容部４１と、該被採寸者の右脚を収容する右脚収容部２１と、該被採寸者の左脚を収容する左脚収容部３１と、を備えてなる。後述の如く、腰収容部４１の前覆い部５１と後覆い部６１との間のうち上部（ヒップラインよりも上）が縫い合わされずに分断部７１、７３が形成されていること等を除き、本採寸具１１は、長ズボンと同様の構造を有している。
【００２１】
本採寸具１１の腰収容部４１は、前覆い部５１と後覆い部６１とが左右で縫い合わされることで形成される中空の筒形状をなしており、該筒形状の中空の内部に被採寸者の腰部を収容する。前覆い部５１は右前布８１と左前布８３とが縫い合わされて形成されると共に、後覆い部６１は右後布８５と左後布８７とが縫い合わされて形成されている（縫い合わせ部分の構造は、図示を容易にするため簡略化している。）。前覆い部５１と後覆い部６１とは、下部は縫い糸９１（特に図３参照）にて上下方向に縫い合わされているが、上部は縫い糸９１にて縫い合わされておらず、これによって分断部７１、７３が形成されている（なお、分断部７１、７３はいずれも同様の構造を有している。）。縫い糸９１が前覆い部５１と後覆い部６１とを縫い合わせた上端位置Ｐ１（特に図３参照）は、腰収容部４１が被採寸者の腰部を収容する際のヒップラインＨＬ（最も周囲長さが大きい部分）よりも上方に存している。このため本採寸具１１は、ヒップラインＨＬにおける周囲長さは（布の伸縮等を除き）一定で不変であるので、収容するのに好適なヒップ周囲長さ（最も周囲長さが大きい部分）が決まっており、様々なヒップ周囲長さの被採寸者を採寸する場合は被採寸者の想定されるヒップ周囲長さの範囲に応じて複数のものを形成し準備しておいてもよい（例えば、ヒップ周囲長さ２ｃｍごとに本採寸具１１を形成しておいてもよい）。
【００２２】
前覆い部５１の上下方向に沿った縦外縁５２のうち分断部７１、７３を形成する部分に沿って、前覆い部５１の外面には面ファスナー５５が配設されている。詳細には、面ファスナー５５は主表面（係合面）が略長方形をなしており、該略長方形の１辺（ここでは長辺）が縦外縁５２と略平行になるように面ファスナー５５は前覆い部５１の外面に取り付けられている。
そして、後覆い部６１の上下方向に沿った縦外縁６２のうち分断部７１、７３を形成する部分に沿って、後覆い部６１の内面には面ファスナー６５が配設されている。詳細には、面ファスナー６５は主表面（係合面）が略長方形をなしており、該略長方形の１辺（ここでは長辺）が縦外縁６２と略平行になるように面ファスナー６５は後覆い部６１の内面に取り付けられている。
これら面ファスナー５５及び面ファスナー６５は互いに係合可能なものであり（面ファスナー５５及び面ファスナー６５の一方がオス型で他方がメス型）、腰収容部４１が被採寸者の腰部を収容した状態において前覆い部５１と後覆い部６１とを正しい位置にて重合させる（縦外縁５２及び縦外縁６２が略平行になるよう、面ファスナー５５が内側（被採寸者の腰に近い方）で面ファスナー６５が外側で重合させる）ことで面ファスナー５５及び面ファスナー６５が互いに係合し（後述の図４）、また係合した面ファスナー５５及び面ファスナー６５を引き離すように力を加えることで面ファスナー５５及び面ファスナー６５の係合を解くことができる（図３の状態）。
【００２３】
特に図３に示す通り、面ファスナー５５の外面（面ファスナー６５と係合する面）には、縦外縁５２から所定の距離だけ離れた位置に目印５８ａ、５８ｂ、５８ｃ、５８ｄが形成されている。詳細には、目印５８ａは縦外縁５２から距離ｘ１離れた位置に縦外縁５２と略平行に赤色の糸を縫いつけることで形成されており、目印５８ｂは縦外縁５２から距離ｘ２離れた位置に縦外縁５２と略平行に黄色の糸を縫いつけることで形成されており、目印５８ｃは縦外縁５２から距離ｘ３離れた位置に縦外縁５２と略平行に緑色の糸を縫いつけることで形成されており、そして目印５８ｄは縦外縁５２から距離ｘ４離れた位置に縦外縁５２と略平行に白色の糸を縫いつけることで形成されている（但し、ｘ１＞ｘ２＞ｘ３＞ｘ４）。以上の通り、面ファスナー５５の外面には、異なる色彩（赤、黄、緑、白）を有する目印５８ａ、５８ｂ、５８ｃ、５８ｄが、縦外縁５２から異なる距離ｘ１、ｘ２、ｘ３、ｘ４にて形成されている。また、ここでは目印５８ａ、５８ｂ、５８ｃ、５８ｄ互いの間隔は等間隔と略されている。
このような面ファスナー５５、面ファスナー６５及び目印５８ａ、５８ｂ、５８ｃ、５８ｄは、分断部７１、７３のいずれにも同様に形成されている。
【００２４】
右脚収容部２１及び左脚収容部３１いずれも、通常の長ズボン（例えば、ジーンズ製のズボン）と同様に中空の筒形状をなしており、その上端が腰収容部４１の下端に連なっており、被採寸者の両脚を収容する。
さらに、本採寸具１１には、通常の長ズボン（例えば、ジーンズ製のズボン）と同様、ポケット１３ｐ１、１３ｐ２、１３ｐ３や複数のベルトループ１５が形成されると共に、前ファスナー部１６（ファスナーの図示は省略する）が形成されている。また、本採寸具１１は、面ファスナー５５及び面ファスナー６５を除き、通常の長ズボンと同様の材質（例えば、ジーンズ製の布）により形成されている。
【００２５】
以上のように本採寸具１１は、ヒップラインＨＬにおける周囲長さが被採寸者のヒップ周囲長さに適したものを選択することで（被採寸者が、通常の長ズボンと同様、快適に着用（装着）できるヒップラインＨＬ周囲長さを有する本採寸具１１を選択する。）、被採寸者が本採寸具１１を長ズボンと同様に装着（着用）することができる。
【００２６】
図４は、被採寸者１０１（点線により一部を示す）が本採寸具１１を装着（着用）したところを示す一部拡大側面図（図３と同様の方向から見たところを示している）である。図４を参照して、被採寸者１０１が本採寸具１１を装着（着用）し採寸する方法を説明する。まず、被採寸者１０１のヒップ位置（直立した際、尻のうち最も太い位置）の周囲長さ（ヒップ寸法）がヒップラインＨＬの周囲長さに丁度良い本採寸具１１を選択する（換言すれば、被採寸者１０１のヒップ位置の腰部のサイズに合ったヒップラインＨＬ寸法を有する本採寸具１１を選択する。）。このとき選択した本採寸具１１のヒップラインＨＬの周囲長さを記録しておく（例えば、９０ｃｍ）。次いで、被採寸者１０１が、右脚収容部２１及び左脚収容部３１に両脚を通すと共に、腰部を腰収容部４１に収容する（このとき被採寸者１０１のヒップ位置がヒップラインＨＬに略一致するよう、被採寸者１０１の腰部を腰収容部４１に収容する。）。そして、被採寸者１０１の腰上部の周囲寸法に合致するように（腰上部に本採寸具１１がぴったり沿うように）前覆い部５１の縦外縁５２近傍部分５２ａと後覆い部６１の縦外縁６２近傍部分６２ａとを重合させる（縦外縁５２及び縦外縁６２が略平行になるよう、面ファスナー５５が内側（被採寸者１０１の腰に近い方）で面ファスナー６５が外側で重合させる）ことで面ファスナー５５及び面ファスナー６５を互いに係合させる（この状態が図４である）。
【００２７】
そして、被採寸者１０１の腰上部の周囲寸法に合致する状態（図４）において、縦外縁６２が目印５８ａ、５８ｂ、５８ｃ、５８ｄのいずれに近接しているかを確認し、その近接している目印の色を記録する（例えば、図４に例示した状態では、縦外縁６２は目印５８ｂに近接しているので、目印５８ｂの色である黄色を記録する。）。
製品のズボンを縫製する縫製者には、選択した本採寸具１１のヒップラインＨＬ周囲長さ（例えば、９０ｃｍ）と、目印の色（例えば、黄色）と、を連絡し、縫製を指示する。
【００２８】
図５は、製品ズボンの縫製者が有している半製品２１１（本半製品）の斜視図である。図５を参照して、半製品２１１について説明する。半製品２１１は、大まかには、半製品２１１を仕上げた製品（後述の製品ズボン３１１）を着用する着用者（本採寸具１１により採寸された前記被採寸者と同じ者）の腰部を収容する腰収容部２４１と、該着用者の右脚を収容する右脚収容部２２１と、該着用者の左脚を収容する左脚収容部２３１と、を備えてなり、本採寸具１１と同様、腰収容部２４１の前覆い部２５１と後覆い部２６１との間のうち上部（ヒップラインよりも上）が縫い合わされずに分断部２７１、２７３（衣服分断部）が形成されている。半製品２１１は、本採寸具１１のヒップラインＨＬ周囲長さ毎に形成されており、ヒップラインＨＬ周囲長さが同じ半製品２１１及び本採寸具１１は、面ファスナー５５、面ファスナー６５及び目印５８ａ、５８ｂ、５８ｃ、５８ｄの有無を除いては（無論、面ファスナー５５、面ファスナー６５及び目印５８ａ、５８ｂ、５８ｃ、５８ｄを本採寸具１１は有するが、半製品２１１は有さない）形状、寸法及び材質が同様に形成されている。
【００２９】
上述の如く、選択した本採寸具１１のヒップラインＨＬ周囲長さ（例えば、９０ｃｍ）と、目印の色（例えば、黄色）と、の連絡を受けた縫製者は、選択した本採寸具１１のヒップラインＨＬ周囲長さ（例えば、９０ｃｍ）と同じヒップラインＨＬ周囲長さを有する半製品２１１を選択する。次いで、選択した半製品２１１において、目印の色（例えば、黄色）に応じて前覆い部２５１と後覆い部２６１とを重合させる。具体的には、本採寸具１１の前覆い部５１は半製品２１１の前覆い部２５１に対応し（前覆い部５１及び前覆い部２５１は形状、寸法及び材質が同じ）、本採寸具１１の後覆い部６１は半製品２１１の後覆い部２６１に対応するので（後覆い部６１及び後覆い部２６１は形状、寸法及び材質が同じ）、本採寸具１１の前覆い部５１及び後覆い部６１（前覆い部５１の縦外縁５２近傍部分５２ａと後覆い部６１の縦外縁６２近傍部分６２ａ）が適した重合位置に関する情報である目印の色（例えば、黄色）に従った重合位置となるよう前覆い部２５１と後覆い部２６１（前覆い部２５１の縦外縁２５２近傍部分２５２ａと後覆い部２６１の縦外縁２６２近傍部分２６２ａ）とを重合させる。具体的には、前覆い部５１の縦外縁５２と、後覆い部６１の縦外縁６２が位置すべき目印５８ａ、５８ｂ、５８ｃ、５８ｄと、の間の距離ｘ１、ｘ２、ｘ３、ｘ４は、前覆い部２５１の縦外縁２５２と、後覆い部２６１の縦外縁２６２と、の間の距離に相当する。このため前覆い部２５１の縦外縁２５２と後覆い部２６１の縦外縁２６２との間の距離とすべきｘ１、ｘ２、ｘ３、ｘ４が目印の色に関係付けられて縫製者に予め通知されているので、目印の色に応じた距離ｘ１、ｘ２、ｘ３、ｘ４を決定し、縦外縁２５２と縦外縁２６２との間の距離を該決定した距離と略同じになるように前覆い部２５１の縦外縁２５２近傍部分２５２ａと後覆い部２６１の縦外縁２６２近傍部分２６２ａとを位置決めする。
このように目印の色に応じた距離ｘ１、ｘ２、ｘ３、ｘ４に基づき前覆い部２５１と後覆い部２６１（前覆い部２５１の縦外縁２５２近傍部分２５２ａと後覆い部２６１の縦外縁２６２近傍部分２６２ａ）とを位置決めし、必要に応じ、前覆い部２５１の縦外縁２５２近傍部分２５２ａと後覆い部２６１の縦外縁２６２近傍部分２６２ａに存する不要布部分を切除（前覆い部２５１と後覆い部２６１との縫い合わせ部分が大きくならないようにする）等した後、前覆い部２５１と後覆い部２６１とを縫いつけ、ベルトループ３１５を取り付ける等して、図６に示すような製品ズボン３１１が完成される。
【００３０】
以上の通り、製品ズボン３１１は、製品ズボン３１１の着用者の腰部を収容する腰収容部３４１の構造部分（腰部を包み込む部分の形状を決定する部分）と同じ形状、寸法及び材質により構造部分が形成された本採寸具１１によって採寸される。このため製品ズボン３１１の着用者と、本採寸具１１の被採寸者と、を同一者として、着用者のヒップ位置の腰部サイズに合致したヒップラインＨＬ周囲長さの本採寸具１１及び半製品２１１を選択し、本採寸具１１における目印５８ａ、５８ｂ、５８ｃ、５８ｄの適した色（被採寸者の腰上部の周囲寸法に対応する）に応じて、半製品２１１の前覆い部２５１と後覆い部２６１とを縫いつければ、製品ズボン３１１の着用者の腰上部の周囲寸法に合致するように（腰上部に製品ズボン３１１がぴったり沿うように）前覆い部２５１と後覆い部２６１とを縫いつけることができる。これによって、製品ズボン３１１は着用者のヒップ位置及び腰上部のいずれの位置においてもうまくフィットし、見栄えも着心地もよいズボンとすることができる。
【００３１】
以上説明のように、本採寸具１１は、着用者のヒップラインＨＬの位置である下位置と、ヒップラインＨＬとウエストとの間のいずれかの位置である上位置と、の間の腰の部分である腰上部を取り囲むように覆う腰上部覆い部（ここでは腰収容部３４１が構成する）を含んでなる衣服（製品ズボン３１１）の製造に際し、腰上部覆い部（腰収容部３４１）により取り囲まれる腰上部のヒップラインＨＬよりも上方に存する少なくともいずれかの位置である腰対象位置の周囲寸法を採寸することで腰対象位置に対応する腰上部覆い部（腰収容部３４１）の周囲寸法を決定するため、腰上部に外嵌されるように装着される採寸具であって、着用者のヒップラインＨＬ位置に沿って外嵌される所定の内周寸法を有する筒形状のヒップライン外嵌部（腰収容部４１のうちヒップラインＨＬに該当する部分）と、ヒップラインＨＬよりも上方の腰上部に外嵌されるようヒップライン外嵌部（腰収容部４１のうちヒップラインＨＬに該当する部分）の上部に連なるように設けられ、上縁から下方に向かって周を分断する分断部７１、７３を有する上方外嵌部（腰収容部４１のうちヒップラインＨＬよりも上に存する部分）と、を備えてなり、上方外嵌部（腰収容部４１のうちヒップラインＨＬよりも上に存する部分）が外嵌される腰上部の周囲長さに応じ、上方外嵌部（腰収容部４１のうちヒップラインＨＬよりも上に存する部分）の内周寸法が変化するよう、異なる幅にて互いに重合可能な内側重合部（ここでは前覆い部５１の縦外縁５２近傍部分５２ａ）及び外側重合部（ここでは後覆い部６１の縦外縁６２近傍部分６２ａ）を分断部７１、７３が有すると共に、上方外嵌部（腰収容部４１のうちヒップラインＨＬよりも上に存する部分）が、該幅を直接的又は間接的に示す目視可能な標識（ここでは目印５８ａ、５８ｂ、５８ｃ、５８ｄ）を有してなるものである、採寸具である。
【００３２】
本採寸具１１においては、分断部７１、７３が上方外嵌部（腰収容部４１のうちヒップラインＨＬよりも上に存する部分）の左右に一対形成されるものである。
本採寸具１１においては、内側重合部（前覆い部５１の縦外縁５２近傍部分５２ａ）の外面及び外側重合部（後覆い部６１の縦外縁６２近傍部分６２ａ）の内面に互いに係脱自在な面ファスナー５５、６５が配設されるものである。
本採寸具１１においては、前記標識（目印５８ａ、５８ｂ、５８ｃ、５８ｄ）が、内側重合部（前覆い部５１の縦外縁５２近傍部分５２ａ）の外面に周囲寸法方向に複数形成される目盛（目印５８ａ、５８ｂ、５８ｃ、５８ｄ自体が目盛を構成している）を含んでなるものである。また、内側重合部（前覆い部５１の縦外縁５２近傍部分５２ａ）及び外側重合部（後覆い部６１の縦外縁６２近傍部分６２ａ）が互いに重合した際（図４）、腰上部の異なる周囲寸法に応じて、外側重合部（後覆い部６１の縦外縁６２近傍部分６２ａ）のいずれかの部分である基準部分（後覆い部６１の縦外縁６２）が異なる目盛りに近接する（腰上部の異なる周囲寸法に応じて、後覆い部６１の縦外縁６２が、異なる目印５８ａ、５８ｂ、５８ｃ、５８ｄのいずれかに近接する。）。
本採寸具１１においては、複数の目盛（目印５８ａ、５８ｂ、５８ｃ、５８ｄ）が、色彩を異ならせて形成されるものである（目印５８ａ、５８ｂ、５８ｃ、５８ｄがそれぞれ赤、黄、緑、白の色彩にて形成されている）。
本採寸具１１においては、複数の目盛（目印５８ａ、５８ｂ、５８ｃ、５８ｄ）が、内側重合部（前覆い部５１の縦外縁５２近傍部分５２ａ）に縫いつけられた糸により形成されるものである。
本採寸具１１においては、外側重合部（後覆い部６１の縦外縁６２近傍部分６２ａ）が、腰上部の異なる周囲寸法に応じ異なる目盛（目印５８ａ、５８ｂ、５８ｃ、５８ｄ）に近接する上下方向に沿った外縁（後覆い部６１の縦外縁６２）を有するものである。
【００３３】
そして半製品２１１は、着用者のヒップラインＨＬの位置である下位置と、ヒップラインＨＬとウエストとの間のいずれかの位置である上位置と、の間の腰の部分である腰上部を取り囲むように覆う腰上部覆い部（ここでは腰収容部３４１が構成する）を含んでなる衣服（製品ズボン３１１）の半製品であって、着用者のヒップラインＨＬ位置に沿って外嵌される所定の内周寸法を有する筒形状の衣服ヒップライン外嵌部（腰収容部２４１のうちヒップラインＨＬに該当する部分）と、ヒップラインＨＬよりも上方の腰上部に外嵌されるよう衣服ヒップライン外嵌部（腰収容部２４１のうちヒップラインＨＬに該当する部分）の上部に連なるように設けられ、上縁から下方に向かって周を分断する衣服分断部２７１、２７３を有する衣服上方外嵌部（腰収容部２４１のうちヒップラインＨＬよりも上に存する部分）と、を備えてなり、衣服上方外嵌部（腰収容部２４１のうちヒップラインＨＬよりも上に存する部分）が外嵌される腰上部の周囲長さに応じ衣服上方外嵌部（腰収容部２４１のうちヒップラインＨＬよりも上に存する部分）の内周寸法が変化するよう、互いに固定可能な内側重合部（前覆い部２５１の縦外縁２５２近傍部分２５２ａ）及び外側重合部（後覆い部２６１の縦外縁２６２近傍部分２６２ａ）を衣服分断部２７１、２７３が有するものである、衣服の半製品である。なお、図５に示す通り、ここでは内側重合部（前覆い部２５１の縦外縁２５２近傍部分２５２ａ）及び外側重合部（後覆い部２６１の縦外縁２６２近傍部分２６２ａ）は互いに異なる幅にて互いに重合可能である。
半製品２１１においては、衣服分断部２７１、２７３が衣服上方外嵌部（腰収容部２４１のうちヒップラインＨＬよりも上に存する部分）の左右に一対形成されるものである。
【符号の説明】
【００３４】
１１            本採寸具
１３ｐ１、１３ｐ２、１３ｐ３  ポケット
１５            ベルトループ
１６            前ファスナー部
２１            右脚収容部
３１            左脚収容部
４１            腰収容部
５１            前覆い部
５２            縦外縁
５２ａ          近傍部分
５５            面ファスナー
５８ａ、５８ｂ、５８ｃ、５８ｄ  目印
６１            後覆い部
６２            縦外縁
６２ａ          近傍部分
６５            面ファスナー
７１、７３      分断部
８１            右前布
８３            左前布
８５            右後布
８７            左後布
９１            縫い糸
１０１            被採寸者
２１１            半製品
２２１            右脚収容部
２３１            左脚収容部
２４１            腰収容部
２５１            前覆い部
２５２            縦外縁
２５２ａ          近傍部分
２６１            後覆い部
２６２            縦外縁
２６２ａ          近傍部分
２７１、２７３    衣服分断部
３１１            製品ズボン
３１５            ベルトループ
３４１            腰収容部
【図１】
0003172178.tif 000003
【図２】
0003172178.tif 000004
【図３】
0003172178.tif 000005
【図４】
0003172178.tif 000006
【図５】
0003172178.tif 000007
【図６】
0003172178.tif 000008